(57)【要約】【課題】ウォブルとＬＰＰの重畳信号よりスルーレートを制御することで、ＬＰＰ検出のスライスレベルを簡単に精度良く設定可能とする。【解決手段】トラックと、トラックの間に形成されアドレス情報が記録されたトラックと間部とを有する光ディスクから、アドレス情報を読み出す光ディスク装置であって、光ディスクにレーザを照射する光学ヘッドであって、トラック方向に第１のディテクタと第２のディテクタとに分割され、かつ、それぞれが光ディスクからの反射光を検出して検出信号を出力するディテクタを備えた光学ヘッドと、第１及び第２の検出信号の差である差動信号を出力する差動回路と、差動信号に含まれるアドレス情報を２値化するためのスライスレベルを差動信号に基づいて検出するレベル検出器と、スライスレベルにより差動信号に含まれるアドレス情報を２値化する２値化回路とを備えた、光ディスク装置等を提供する。【選択図】図１
2005141814.tif 000002
【特許請求の範囲】
【請求項１】
光ディスクにレーザを照射し、第１のディテクタと第２のディテクタにトラック方向に分割され、かつ、それぞれが前記光ディクスからの反射光を検出して検出信号を出力するトラッキングディテクタを備えた光学ヘッドと、前記第１のディテクタより出力された第１の検出信号と、前記第２のディテクタより出力された第２の検出信号を受け取り、ノイズを低減し、第１の検出信号と第２の検出信号の差を検出してアドレス検出差動信号として出力するノイズ低減手段付差動回路と、ノイズ低減手段付差動回路より出力されたアドレス検出差動信号を受け取り、振幅の時間変化率であるスルーレートを制限することで、アドレス検出差動信号に含まれるウォブルによる信号成分とノイズの重畳信号のエンベロープのピークレベルを検出してレベル検出信号として出力するレベル検出器と、前記レベル検出器より出力したレベル検出信号のレベルを調整し、スライスレベル信号として出力するレベル調整回路と、前記アドレス検出差動回路より出力されたアドレス検出差動信号と、前記レベル調整回路により調整されたスライスレベル信号とを比較し、アドレス情報を検出する２値化回路を備えることを特徴とする光ディスク装置。
【請求項２】
前記ノイズ低減手段付差動回路は、アドレス情報の記録された位置において、第１の検出信号及び第２の検出信号の振幅比を調整し、それぞれ出力するアドレス検出バランス調整回路と、前記アドレス検出バランス調整回路により調整された第１の検出信号、及び、第２の検出信号の差であるアドレス検出差動信号を出力するアドレス検出差動回路を備え、第１の検出信号、及び、第２の検出信号の振幅比を調整することでアドレス検出差動信号のノイズを低減することを特徴とする請求項１に記載の光ディスク装置。
【発明の詳細な説明】
【技術分野】
【０００１】
本発明は、光ディスクに記録された信号の記録及び再生に関する。
【背景技術】
【０００２】
情報の記録／再生を行う光ディスクの１つのフォーマットとして、ＤＶＤ―Ｒ／ＲＷがある。このフォーマットの第１の特徴は、ＤＶＤ−ＲＯＭフォーマットとの互換性を高めるために、情報の記録／再生を行う際に、アドレスを特定するために必要なアドレス情報が、ディスクのランドと呼ばれる領域に形成されていることである。このアドレスは、「ランドプリピットアドレス」または、「ＬＰＰアドレス」と称される。ディスクには、記録／再生を行うディスクのグルーブと呼ばれる案内溝が形成されており、ランドとは、グルーブとグルーブの間を指す。また、記録／再生の対象となる情報がマークとして記録される光ディスクの領域を記録トラックと呼び、記録トラックの追従時に、装置のトラッキングディテクタは、入射した光を検出して複数の光量信号を生成する。アドレス情報は複数の光量信号の差をとった差動信号に基づいて検出される。続いて、第２の特徴は、案内溝が一定の周期で半径方向に動揺されるウォブルが形成されていることである。ウォブルに基づいて得られるウォブル信号は、情報の記録／再生を行うクロックを生成するためのリファレンス信号として利用される。アドレス情報の検出と同様、ウォブルも複数の光量信号の差をとった差動信号に基づいて検出される。
【０００３】
以下、図４から図１１を参照して、従来の光ディスク装置の構成及び動作を説明する。
図４は、ＤＶＤ−Ｒ／ＲＷディスク１０１に情報の記録再生を行う従来の光ディスク装置４０のブロック図である。光ディスク装置４０は、ディスクモータ１０２と、光を検出するトラッキングディテクタ、フォーカスディテクタ、及び、再生信号ディテクタを有する光学ヘッド１０３とトラッキングディテクタの光量信号に基づいて、フォーカスエラー信号、トラッキングエラー信号、及び、再生信号を生成するサーボ信号／再生信号生成回路１０４と、サーボ信号／再生信号生成回路１０４の出力信号を用いて光学ヘッドを光ディスク１０１の案内溝に追従させるフォーカス／トラッキング制御部１０５とを備えている。
さらに光ディスク装置４０は、光学ヘッドのトラッキングディテクタの光量信号からウォブル信号を生成するためのウォブル検出差動回路１０６と、ウォブル検出差動回路の出力信号からウォブル信号を抽出するバンドパスフィルター１０７と、バンドパスフィルターの出力信号であるウォブル信号を２値化するウォブル信号２値化回路１０８と、ウォブル２値化信号から、同ディスクの記録／再生を行うのに必要なクロックを生成するためのウォブルＰＬＬ回路１０９と、トラッキングディテクタの光量信号の振幅を調整するＬＰＰ検出バランス調整回路１２６と、ＬＰＰ検出バランス調整回路１２６により振幅を調整されたトラッキングディテクタの光量信号からＬＰＰアドレス信号を検出するためのＬＰＰ検出差動回路１２７と、バンドパスフィルター１０７で抽出されたウォブル信号の振幅を検出する振幅検出回路１１０とバイアス電圧を発生させるバイアス発生回路１１１と、バイアス発生回路で発生する発生電圧とウォブル信号の振幅信号を加えた電圧を比較レベルとして、ＬＰＰ検出差動回路１２７の出力信号を２値化するＬＰＰ信号２値化回路１１３と、ＬＰＰ信号２値化回路１１３で検出されたＬＰＰ２値化信号からＬＰＰアドレスを検出するＬＰＰアドレス検出回路１１４とを備える。さらに光ディスク装置４０は、サーボ信号／再生信号生成回路１０４で生成された再生信号を２値化する再生信号２値化回路１１５と、再生信号２値化回路１１５の出力信号を復調するためのクロックを生成するデータ再生ＰＬＬ１１６と、データ再生ＰＬＬ回路１１６によって生成されたクロックと２値化再生信号を用いて復調を行う復調回路１１７と、復調データの訂正、及び、ユーザーデータへの訂正符号の付加を行うエラー訂正／付加回路１１８と、エラー訂正符号を付加されたデータを変調回路に送り、または、復調回路からのデータをエラー訂正／付加回路に送り、かつ変調回路／復調回路の制御を行う変復調制御回路１１９を備える。さらに、光ディスク装置４０は、前記訂正符号が付加されたユーザーデータを変調する変調回路１２０と、変調回路の出力信号よりレーザ駆動波形を生成するレーザ駆動波生成回路１２１とレーザ駆動を行うレーザ駆動回路１２２と、データの記録／再生を行うために必要なタイミング信号を生成するゲート信号生成回路１２３と、装置全体を制御するＣＰＵ１２４とを備えている。
【０００４】
続いて、光ディスク装置４０の動作を説明する前に、本発明で想定する光ディスク１０１を説明する。図５はディスクの溝形状を示す図である。ディスク１０１ではグルーブとグルーブの間にランドが生成されている。ランド上にはＬＰＰが生成され、グルーブには記録マークが形成されている。記録溝であるグルーブの半径方向のうねりを、本明細書ではウォブルと称し、ディスクの線速度を検出するために用いる。すなわち本明細書では、記録クロックの生成やＣＬＶ（Ｃｏｎｓｔａｎｔ  Ｌｉｎｅａｒ  Ｖｅｌｏｃｉｔｙ）制御にウォブルを用いる。尚、図２では、半径方向は、ランドまたはグルーブにほぼ垂直な方向である。ＬＰＰは、アドレス情報がエンコードされているほか、ディスク上の正確な位置を検出するために用いられる。
【０００５】
図５では、さらに、光学ヘッド１０３に設けられたトラッキングディテクタ１０３ａを示し、トラッキングディテクタ１０３ａは、トラックに沿った方向（トラック方向）の分割線１０３ｂによって２つのトラッキングディテクタＡ及びＢに分割されている。２つのトラッキングディテクタＡ及びＢは、それぞれ、光学ヘッド１０３から照射され、光ディスク１０１で反射されたレーザ光の光量をそれぞれ検出して出力する。ディテクタＡ及びＢの出力は、所定の処理をされた後、ウォブル検出差動回路１０６、及び、ＬＰＰ検出バランス調整回路１２６を通りＬＰＰ検出差動回路１２７に入力され、その差である差動信号より、ウォブル及びＬＰＰが検出される。尚、トラッキングディテクタ１０３ａは、さらに、多くの数（例えば、４個、６個）のディテクタに分割されても良い。その場合にも、トラックに沿った分割線で分割された２つのディテクタの組をディテクタＡ及びＢとして置き換えれば良い。
【０００６】
次に、図６から図１１を参照して、図４に示す光ディスク装置４０の動作を説明する。
図６から図１１は、光ディスク装置４０が、ＤＶＤ−Ｒフォーマットディスクの案内溝に追従している際の動作波形である。光ディスク装置４０の光学ヘッド１０３は、２つのトラッキングディテクタＡ及びＢ（例えば、図５参照）を備えており、２つのトラッキングディテクタに入射される光量は、平均値が等しくなるように制御されているとする。これらのディテクタに入射される光量は、ディスク上のトラックが半径方向に変調されているために一定の周波数で増減を繰り返し、さらに、ランドに形成されたＬＰＰによってパルス状に変化する。さらに、記録時には、記録情報に応じてレーザ光の光量をパルス状に変動させるため、ディテクタに反射光として入射される光量も変動し、この変動が記録時のノイズとなる。また、記録済みトラックの再生時には、マークとしてトラックに記録された情報の信号が漏れ込み、この漏れ込みが再生時のノイズとなる。トラッキングディテクタＡ及びＢの検出信号ａ及び検出信号ｂを図６に示す。従って、トラッキングディテクタＡ及びＢの検出信号を処理して生成する差動信号は、ウォブル信号とＬＰＰ信号とノイズが重畳した波形になる。尚、ノイズの発生原因は記録時と記録済みトラックの再生時で異なるが、装置の動作原理は同様なので、記録時のウォブル信号とＬＰＰ信号の２値化を説明する。
【０００７】
まず、ウォブル信号の２値化について説明する。ウォブル検出差動回路１０６は、検出信号ａと検出信号ｂ（図６）の差動信号を生成し、ウォブル検出差動信号ｃとして出力する。ウォブル検出差動信号ｃを図７に示す。バンドパスフィルター１０７において、ウォブル検出差動信号ｃよりウォブル信号ｄを抽出し、ウォブル２値化回路１０８において、ウォブル信号ｄの２値化が行なわれる。図８にウォブル信号ｄの２値化に関する動作波形を示す。尚、トラッキングディテクタに入射される平均光量が等しくなるように制御されていることから、ウォブル検出差動信号ｃは、ウォブル信号ｃの２値化レベル（振幅の中心付近）において、記録時の光量変動によるノイズが最小になる。（図８参照）次に、ＬＰＰ信号の２値化を説明する。ＬＰＰ検出バランス調整１２６において、トラッキングディテクタＡ及びＢの検出信号（検出信号ａ及び検出信号ｂ）を、ＬＰＰの記録位置において、ウォブル信号とノイズの重畳成分の振幅が等しくなるように調整し、検出信号ａ２、検出信号ｂ２として出力する。図９に、検出信号ａ２、及び、検出信号ｂ２を示す。ＬＰＰ検出差動回路１２７において、検出信号ａ２と検出信号ｂ２の差動信号を生成し、ＬＰＰ検出差動信号ｅとしてＬＰＰ信号２値化回路１１３へ出力する。ＬＰＰ検出差動信号ｅを図１０に示す。このようにバランス調整したＬＰＰ検出差動信号ｅは、ＬＰＰ検出位置において、記録時の光量変動によるノイズが最小になる。しかし、ノイズを最小におさえてもなお、ＬＰＰの検出可能範囲（ＬＰＰ検出差動信号ｅのノイズ成分より高くＬＰＰ信号のパルス成分より低い範囲）は狭いので、ＬＰＰの検出可能範囲に精度良くＬＰＰスライスレベルを設定する必要がある。続いて、ＬＰＰスライスレベルの生成方法を説明する。図１１にＬＰＰスライスレベル生成に関する動作波形を示す。ＬＰＰスライスレベルは、バンドパスフィルター１０７により抽出されたウォブル信号ｄに基づいて生成する。信号振幅検出回路１１０において、ウォブル信号ｄの振幅値を検出する。しかし、ここで検出された振幅値は、ＬＰＰの検出可能範囲の値とならない。なぜなら、ＬＰＰ検出差動信号ｅはＬＰＰ検出バランス調整回路１２６でバランスを調整していることから、ウォブル検出差動信号ｃとオフセットが異なるからであり、さらに、ウォブル信号ｄはウォブル検出差動信号ｃよりバンドパスフィルターで抽出していることから、信号振幅検出回路１１０で検出された振幅値はノイズの振幅情報を含まないからである。従って、バイアス発生回路１１１でオフセット及びノイズの振幅に対応する一定電圧を生成し、信号振幅検出回路１１０で検出された振幅値に加えて、ＬＰＰの検出可能範囲になるように調整し、ＬＰＰスライスレベルｆとしてＬＰＰ信号２値化回路１１３へ出力する。さらに、バイアス発生回路１１１で生成する一定電圧は、低過ぎるとノイズによる誤検出が増え、高過ぎるとＬＰＰ信号のバラツキによりＬＰＰを検出できなくなるので、ＬＰＰの検出可能範囲の適切なレベルにスライスレベルが設定されるように精調整しなければならない。この様に設定されたＬＰＰスライスレベルｆにより、ＬＰＰ検出差動信号ｅをＬＰＰ信号２値化回路１１３において２値化する。
【特許文献１】特開２００２−２１６３６３号公報（図１）
【発明の開示】
【発明が解決しようとする課題】
【０００８】
トラッキングディテクタの差動信号（ウォブル信号とＬＰＰ信号の重畳信号）より、ウォブル信号とＬＰＰアドレス信号を、各々の２値化回路で検出する系をもつ光ディスク装置において、記録時及び記録済みトラックの再生時には、トラッキングディテクタの差動信号にさらにノイズが重畳する。従って、各々の信号を正確に検出するには、ノイズを低減することと、適切なスライスレベルで２値化することが必要である。また、ウォブルの検出位置（ウォブル信号振幅の中心付近）とＬＰＰの検出位置（ウォブル信号振幅のピーク付近）が異なることから、各々の検出系において、各々の検出位置でノイズを最小にし、各々の検出に最適なスライスレベルを設定する必要がある。このノイズを低減するための解決手段として、例えば、特開２００２−２１６３６３号公報に記載の技術が提案されており、２つのトラッキングディテクタの検出信号の差動信号を生成する際、２つの検出信号の振幅バランスを、ウォブルとＬＰＰで、各々最適に調整して各々差動信号を生成することで、各々のノイズを低減している。このように、トラッキングディテクタの検出信号に対して、ウォブル検出とＬＰＰ検出で各々最適な処理することでノイズを低減しているが、処理が異なるためにウォブル検出差動信号と、ＬＰＰ検出差動信号はオフセットが異なる。しかしながら、従来の光ディスク装置では、ＬＰＰのスライスレベルをウォブル信号から生成しており、２値化回路で２値化の対象となる信号と、２値化の基準となる信号を生成するために用いた信号が異なるために、オフセットが発生していた。また、ウォブル信号から生成したウォブルの振幅値は、ノイズの振幅情報が欠落していた。従って、バイアス電圧等で、オフセット及びノイズ振幅によるウォブルの振幅値とＬＰＰの検出可能範囲との差分の調整が必要であり、広い可変範囲を精調整できるバイアス発生回路等が必要であった。また、ウォブルの検出系とＬＰＰの検出系が独立せず複雑な系になっていた。さらに、再生中、記録中は、光ディスクの反り等によりチルトが発生し、２つのトラッキングディテクタ振幅バランスが変動することから、オフセットが変動し、ＬＰＰスライスレベルが最適な位置からずれ、ＬＰＰアドレスの検出率が低下するという問題があった。
【課題を解決するための手段】
【０００９】
上記課題を解決するために、本発明は、トラッキングディテクタの差動信号（ウォブル信号とＬＰＰアドレス信号とノイズの重畳信号）より、ウォブル信号とＬＰＰアドレス信号を、各々の２値化回路で検出する系をもつ光ディスク装置において、ＬＰＰ検出のスライスレベルを、振幅の時間変化率であるスルーレートを制御することで、ＬＰＰ検出の２値化の対象となる信号から生成することを最も主要な特徴とする。（以下、振幅の時間変化率をスルーレートと示す。）
より具体的には、本発明の請求項１に記載の発明は、光ディスクにレーザを照射し、第１のディテクタと第２のディテクタにトラック方向に分割され、かつ、それぞれが前記光ディクスからの反射光を検出して検出信号を出力するトラッキングディテクタを備えた光学ヘッドと、前記第１のディテクタより出力された第１の検出信号と、前記第２のディテクタより出力された第２の検出信号を受け取り、ノイズを低減し、第１の検出信号と第２の検出信号の差を検出してアドレス検出差動信号として出力するノイズ低減手段付差動回路と、ノイズ低減手段付差動回路より出力されたアドレス検出差動信号を受け取り、振幅の時間変化率であるスルーレートを制限することで、アドレス検出差動信号に含まれるウォブルによる信号成分とノイズの重畳信号のエンベロープのピークレベルを検出してレベル検出信号として出力するレベル検出器と、前記レベル検出器より出力したレベル検出信号のレベルを調整し、スライスレベル信号として出力するレベル調整回路と、前記アドレス検出差動回路より出力されたアドレス検出差動信号と、前記レベル調整回路により調整されたスライスレベル信号とを比較し、アドレス情報を検出する２値化回路を備えることを特徴としたものであり、レベル検出器により２値化の対象となる信号から振幅の時間変化率であるスルーレートを制限することで、アドレス検出差動信号に含まれるウォブルによる信号成分とノイズの重畳信号のエンベロープのピークレベルを検出することで、最適なスライスレベルで２値化でき、ＬＰＰアドレス検出率を高めるという作用を有する。
【００１０】
請求項２に記載の発明は、前記ノイズ低減手段付差動回路が、アドレス情報の記録された位置において、第１の検出信号及び第２の検出信号の振幅比を調整し、それぞれ出力するアドレス検出バランス調整回路と、前記アドレス検出バランス調整回路により調整された第１の検出信号、及び、第２の検出信号の差であるアドレス検出差動信号を出力するアドレス検出差動回路を備え、第１の検出信号、及び、第２の検出信号の振幅比を調整することでアドレス検出差動信号のノイズを低減することを特徴としたものであり、請求項１の光ディスク装置におけるノイズ低減手段付差動回路の具体的な構成を示す。
【発明の効果】
【００１１】
本発明の光ディスク装置は、上記構造を有し、ＬＰＰ検出のスライスレベルを、ＬＰＰ検出の２値化の対象となる信号から生成するので、オフセットもなく、スルーレートを制御することでスライスレベルを簡単に精度良くＬＰＰの検出可能範囲に設定でき、ＬＰＰアドレスの検出率を高めることができる。また、ウォブルの検出系に依存しないので、ＬＰＰ検出に最適化でき、簡潔な構成になるという利点がある。
【発明を実施するための最良の形態】
【００１２】
以下、本発明の実施の形態について、図１から図３を参照しながら説明する。
【００１３】
（実施の形態１）
図１は、本発明の実施の形態１における、光ディスク記録再生装置１０のブロック図である。図１において、図４と同符号を付したものは同機能あるいは同種の信号であり、ＬＰＰ検出系以外の全体構成は図４と同じであることから省略し、ＬＰＰ検出部１１について説明する。
【００１４】
ＬＰＰ検出部１１は、トラッキングディテクタＡ及びＢの検出信号の振幅バランスを調整するＬＰＰ検出バランス調整回路１２６と、ＬＰＰ検出バランス調整回路１２６の２つの出力信号の差動信号を生成するＬＰＰ検出差動回路１２７と、ＬＰＰ検出差動回路１２７で生成された差動信号からスルーレートを制御して所望のレベルを出力するスルーレート制御回路２０１と、バイアス電圧を発生させるレベル調整回路２０２と、スルーレート制御回路２０１の出力とレベル調整回路２０２の出力を加算する加算器１２８と、ＬＰＰ検出差動回路１２７の出力を加算器１２８の出力で２値化するＬＰＰ信号２値化回路１１３とを備える構成とする。
【００１５】
以下、ＬＰＰ検出部１１の動作を説明する。ＬＰＰ検出バランス調整１２６において、トラッキングディテクタＡ及びＢの検出信号（検出信号ａ及び検出信号ｂ）を、ＬＰＰの検出位置において、ウォブルとノイズの重畳成分の振幅が等しくなるように調整し、検出信号ａ２、検出信号ｂ２として出力する（図９参照）。ＬＰＰ検出差動回路１２７において、検出信号ａ２と検出信号ｂ２の差動信号を生成し、ＬＰＰ検出差動信号ｅとしてＬＰＰ信号２値化回路１１３へ出力する。ＬＰＰ検出差動信号ｅを図２に示す。このようにバランス調整したＬＰＰ検出差動信号ｅは、ＬＰＰ検出位置において、記録時の光量変動によるノイズが最小になる。しかし、記録時のレーザパワーが最小時のＬＰＰ信号は、ノイズを最小におさえてもなお、ＬＰＰの検出可能範囲（ＬＰＰ検出差動信号ｅのノイズ成分より高くＬＰＰ信号のパルス成分より低い範囲）は狭いので、ＬＰＰの検出可能範囲に精度良くＬＰＰスライスレベルを設定する必要がある。図２の拡大位置のＬＰＰ信号が記録中のレーザパワーが最小時のＬＰＰ信号である。
【００１６】
続いて、図２を参照して、ＬＰＰスライスレベルの生成方法を示す。図２は、ＬＰＰ検出差動信号ｅとスルーレート制御方法の説明図である。ＬＰＰスライスレベルは、ＬＰＰ検出差動信号ｅにおけるウォブル信号成分とノイズ成分の重畳信号のピークエンベロープより高いレベルに設定する必要がある。このため、スルーレート制御回路２０１において、立ち上がりスルーレートと立ち下がりスルーレート（ドループ）をそれぞれ制限することで、ＬＰＰ検出差動信号ｅにおけるウォブル信号成分とノイズ成分の重畳信号のピークエンベロープを検出する。但し、ＬＰＰのスライスレベルとして必要なのは、ＬＰＰ検出差動信号ｅにおけるウォブル信号成分とノイズ成分の重畳信号のエンベロープのピーク値であり、ピークエンベロープに追従する必要はない。立ち上がりのスルーレートは、ＬＰＰ検出差動信号ｅにおけるレーザパワー最小時のＬＰＰ信号成分を検出するために、レーザパワー最小時のＬＰＰ信号成分の立ち上がりの傾きより小さく設定する。（例えば、立ち上がりスルーレートを、レーザパワー最小時のＬＰＰ信号成分の立ち上がりの傾きの１／１０から１／１００程度に設定すると良好な結果が得られた。）立ち下がりのスルーレート（ドループ）は、立ち上がりスルーレートより小さく設定し、さらに、ＬＰＰ検出差動信号ｅにおけるウォブル信号成分とノイズ成分の重畳信号のエンベロープの傾きより小さく設定する方が良い。これにより、ＬＰＰ検出差動信号ｅにおけるウォブル信号成分とノイズ成分の重畳信号のピークエンベロープを検出できる。さらに、スライスレベルはＬＰＰ検出差動信号ｅにおけるＬＰＰ信号成分に対して垂直である方が良いので、立ち上がりスルーレート、立ち下がりスルーレート（ドループ）とも、応答速度で問題が出ない程度に低く設定するのが良い。（例えば、立ち下がりスルーレートを立ち上がりスルーレートの１／１０から１／１００程度に設定すると良好な結果が得られた。）これにより、ＬＰＰ検出差動信号ｅにおけるウォブル信号成分とノイズの重畳信号のエンベロープのピーク値を検出できる。
【００１７】
図３にスルーレート制御回路２０１の出力信号を示す。ここで、スルーレート制御回路２０１の出力信号である、ＬＰＰ検出差動信号ｅにおけるウォブル信号成分とノイズ成分の重畳信号のエンベロープのピーク値は、ＬＰＰの検出可能範囲（ＬＰＰ検出差動信号ｅのノイズ成分より高くＬＰＰ信号のパルス成分より低い範囲）の下限である。ＬＰＰ検出差動信号ｅに含まれるウォブル成分、及び、ノイズ成分、及び、ＬＰＰ信号のパルス成分は各々変動するので、ＬＰＰスライスレベルは、ＬＰＰの検出可能範囲の中心（アパーチャの中心）付近に設定することでＬＰＰ検出精度が向上する。スルーレート制御回路２０１で検出されたピーク値に、レベル調整回路２０２で生成された一定電圧を加えて、ＬＰＰの検出可能範囲の適切なレベルになるように精調整し、ＬＰＰスライスレベルｆとしてＬＰＰ信号２値化回路１１３へ出力する。レベル調整回路２０２で生成する一定電圧の可変範囲は、スルーレート制御回路２０１で検出されたピーク値がＬＰＰの検出可能範囲にあることから、ＬＰＰの検出可能範囲で良い。（レベル調整回路２０２で生成する一定電圧の可変範囲は、従来の光ディスク装置４０のバイアス発生回路１１１の可変範囲で必要としていたオフセット及びノイズ振幅の対応分を含める必要がない。）この様に設定されたＬＰＰスライスレベルｆにより、ＬＰＰ検出差動信号ｅをＬＰＰ信号２値化回路１１３において２値化する。上述のように、スルーレート制御回路２０１の出力信号は、ＬＰＰ検出差動信号ｅにおけるウォブル信号成分とノイズの重畳信号のエンベロープのピーク値であることから、記録、再生状態（例えば、ディスクの反り等によるチルトずれによりバランスがずれるなど）が変化しても、ＬＰＰ検出可能範囲からずれることがなく、ＬＰＰアドレス検出率を高めることができる。
【００１８】
尚、ノイズ低減手段として、２つのトラッキングディテクタの検出信号の差動信号を生成する際、２つの検出信号の振幅バランスを、ウォブルとＬＰＰで、各々最適に調整して各々差動信号を生成することで、各々のノイズを低減する方法を示したが、レーザパワーに基づいて、２つのトラッキングディテクタの検出信号を正規化することでノイズを低減する手段等もあり、（例えば、特開２００２−３３４４４６号公報等）上記したノイズ低減手段に限定されるものではない。また、本発明は上記した実施の形態に限定されるものではない。
【産業上の利用可能性】
【００１９】
本発明にかかる光ディスク装置は、ウォブルとＬＰＰアドレスの重畳信号を２値化回路で２値化してＬＰＰを検出する系において、ＬＰＰ検出のスライスレベルを、スルーレートを制御して、ウォブルとＬＰＰアドレスの重畳信号（ＬＰＰ検出の２値化の対象となる信号）から生成することで、スライスレベルを簡単に精度良く設定できるという効果を有し、光ディスクに記録された信号の記録及び再生に関するもの等として有用である。
【図面の簡単な説明】
【００２０】
【図１】本発明の実施の形態１における光ディスク装置のブロック図
【図２】本発明の実施の形態１における光ディスク装置におけるスルーレートの制御方法の説明図
【図３】本発明の実施の形態１における光ディスク装置を説明する動作波形図
【図４】従来の光ディスク装置のブロック図
【図５】光ディスクの構造図
【図６】光ディスク装置のウォブル検出を説明する動作波形図
【図７】光ディスク装置のウォブル検出を説明する動作波形図
【図８】光ディスク装置のウォブル検出差動信号の２値化を説明する動作波形図
【図９】光ディスク装置のＬＰＰ検出を説明する動作波形図
【図１０】従来の光ディスク装置のＬＰＰ検出を説明する動作波形図
【図１１】従来の光ディスク装置のＬＰＰ検出部におけるＬＰＰ検出差動信号の２値化を説明する動作波形図
【符号の説明】
【００２１】
１０３    光学ヘッド
１２６    ＬＰＰ検出バランス調整回路
１２７    ＬＰＰ検出差動回路
２０１    スルーレート制御回路
１１１    レベル調整回路
１１３    ＬＰＰ信号２値化回路
【図１】
2005141814.tif 000003
【図２】
2005141814.tif 000004
【図３】
2005141814.tif 000005
【図４】
2005141814.tif 000006
【図５】
2005141814.tif 000007
【図６】
2005141814.tif 000008
【図７】
2005141814.tif 000009
【図８】
2005141814.tif 000010
【図９】
2005141814.tif 000011
【図１０】
2005141814.tif 000012
【図１１】
2005141814.tif 000013